(57)【特許請求の範囲】
【請求項１】
バッテリ本体に正極および負極の両電極ポストがボルト形状に設けられ、電極ポストのそれぞれにバッテリケーブルを接続する場合に、電極ポストにバッテリケーブル端部のタブ端子に設けたポスト挿通孔を通して締結ナットで結合してなっているバッテリのケーブル端子接続構造であって，
前記バッテリ本体二個所にポスト設置凹部を設けてそこに前記正負両極の電極ポストが設置され、各ポスト設置凹部は少なくとも一面以上の垂直壁面を有し、この垂直壁面に垂直方向へ細長く各ポスト設置凹部における前記電極ポストの正負極性を区別するための凸条または凹溝を形成し、一方、その凸条または凹溝に係合する異数の凹部または凸部を前記タブ端子に設けられ，
前記タブ端子がプレス打ち抜き加工による金属成形品であって、端子板厚の打ち抜き始発角部がＲダレ部となり、打ち抜き終端角部が返りダレによる鋭利なエッジ部となっており、Ｒダレ部の方から向かわせてタブ端子を前記電極ポストに挿入するとともに、エッジ部を前記ポスト設置凹部の垂直壁面に咬み込み可能としたことを特徴とするバッテリのケーブル端子接続構造。
【請求項２】
前記各ポスト設置凹部は二面方向が開放部となって他の二面が直交する垂直壁面となっており、この垂直壁面の一面と他面で面対称となる位置に垂直方向へ細長く各ポスト設置凹部における前記電極ポストの正負極性を区別するための異数の凸条または凹溝が形成され、一方、その凸条または凹溝に係合する異数の凹部または凸部を前記タブ端子の前端に設けたことを特徴とする請求項１に記載のバッテリのケーブル端子接続構造。
【請求項３】
前記各ポスト設置凹部は一面方向が開放部となって他の三面が互いに直交する垂直壁面となっており、この三面の垂直壁面の中央奥部一面に垂直方向へ細長く各ポスト設置凹部における前記電極ポストの正負極性を区別するための異数の凸条または凹溝が形成され、一方、その凸条または凹溝に係合する異数の凹部または凸部を前記タブ端子の前端に設けたことを特徴とする請求項１に記載のバッテリのケーブル端子接続構造。
【請求項４】
前記タブ端子の前端と両側端のそれぞれに前記凹部または凸部が設けられていることを特徴とする請求項１に記載のバッテリのケーブル端子接続構造。
【請求項５】
前記ポスト設置凹部の垂直壁面に設けた凸条または凹溝の数に対応して、前記タブ端子の凹部または凸部が１つまたはそれ以上偶数で設けられ、偶数の場合はポスト挿通孔の中心線に対して線対称位置となっていることを特徴とする請求項２又は３に記載のバッテリのケーブル端子接続構造。
【請求項６】
前記タブ端子に前端および両側端から凸部が突出して設けられる場合、その凸部を端子主面に対して適宜傾斜角度で屈曲させてなっていることを特徴とする請求項２又は３に記載のバッテリのケーブル端子接続構造。
【発明の詳細な説明】
【０００１】
【発明の属する技術分野】
本発明は、特に自動車搭載の電源バッテリにおいて、正負両極を取り違えてバッテリケーブルを誤組付する不都合を未然に防止でき、またその組付作業性に優れたバッテリのケーブル端子接続構造に関する。
【０００２】
【従来の技術】
一般に、自動車搭載の電源バッテリにみられるバッテリケーブルの接続構造の多くは、バッテリ本体のケース上面に設けた正極（＋）と負極（−）の両電極ポストに、対応するバッテリケーブルをこれらの端末に設けた端子金具を介して電気的に接続している。
【０００３】
従来、かかるケーブル端子接続構造においては、接続作業時に電極ポストの正負両極を取り違えてバッテリケーブルを誤組付してしまう不都合があった。そうした誤組付を避けるために、これまで多種多様な誤組付防止構造が提案されている。たとえば、正負両極用の電極ポストに異なる着色を施したり、正極と負極という文字を明記することで、それを作業者に識別させて正負両極の取り違えを防ぐようにした手段や構造が周知である。
【０００４】
ところが、かかる着色や文字明記によって誤組付を防止する手段の場合、作業者の単純ミスでそれら着色や文字を取り違えて勘違いしたり、また作業現場の照明が暗かったりすると着色や文字が識別しづらいといった不具合がある。
【０００５】
そのような単純な接続ミスの防止にむけて、正極と負極の電極ポストの形状自身を違えて区別することで、作業者の勘違いで電極ポストを取り違えてバッテリケーブルを接続しようとした場合、電極ポストにバッテリケーブル端子が仮組みすらできないようにしておく構造も多く提案されている。
【０００６】
そのひとつに特開平４−２２０９４７号公報に記載のバッテリのコード端子接続構造がある。これを図１２で概略的に説明する。
【０００７】
バッテリ本体１の上面部に正極用と負極用の凹部２が設けられ、それら凹部２に正負両極用の電極ポスト３（図では電極ポストの一方だけが示されている）を立ち上げて設けている。この場合の電極ポスト３は角柱形となっており、その角柱上面部３ａがケーブル端子接続面になっている。この角柱上面部３ａの中心部からずれた位置にはボルト挿通孔３ｂが設けられている。
【０００８】
そうした電極ポスト３にバッテリケーブル４が接続されるが、このバッテリケーブル４では端部に端子金具５がかしめなどして固着され、端子金具５の先端部はフラットなタブ端子５ａとなっており、その幅寸法Ｗの中心からずれた位置にボルト挿通孔５ｂが貫通して設けられている。また、このタブ端子５ａでは、前端から一側端に向かって、Ｌ字形の鍵の手に折り曲げ加工された回り止め板部５ｃ，５ｄを設けている。
【０００９】
以上の構成から、バッテリケーブル４を電極ポスト３に接続する作業にあたっては、図中矢印Ａで示す正規の接続方向から端子金具５を電極ポスト３に臨ませる。タブ端子５ａに設けた回り止め板部５ｃ，５ｄを電極ポスト３の角柱一角部の二面に当接させて位置決めすると、タブ端子５ａ側の偏在したボルト挿通孔５ｂが電極ポスト３側の同じく偏在位置に有るボルト挿通孔３ｂに合致する。続いて、合致させたそれらボルト挿通孔３ｂ，５ｂにボルト（図示せず）をねじ込んで螺着させ、電極ポスト３に共締めして固定する。それにより、正極と負極の電極ポスト３に対応したバッテリケーブル４が接続される。
【００１０】
以上は誤組付のない正常な接続作業例であるが、作業者の作業手向きや勘違いで図中矢印Ｂ方向から端子金具５を電極ポスト３に臨ませて接続させようとする場合が多々ある。その際、端子金具５側ではタブ端子５ａのボルト挿通孔５ｂが電極ポスト３側のボルト挿通孔３ｂに合致せず、またタブ端子５ａの前端の回り止め板部５ｃ，５ｄも電極ポスト３側の一角部両面に当接させることができない。作業者はそうした不都合を察知して、接続しようとするバッテリケーブル４が正負の電極ポスト３を取り違えていることを認識させ、作業のやり直しを促すことで誤組付を未然に防止するといった構造である。
【００１１】
【発明が解決しようとする課題】
ところで、この図１２で示された公報記載による従来構造の場合、次の問題点がある。
【００１２】
一つは、ボルトで共締めして固定する以前の段階で、バッテリケーブル４側の端子金具５のタブ端子５ａを電極ポスト３の角柱上面部３ａに位置決めしてセットされるが、この状態ではただ単にタブ端子５ａを角柱上面部３ａに載せただけに過ぎず、端子金具５の支持が不安定である。
【００１３】
そのため、ボルトを双方のボルト挿通孔３ｂ，５ｂにねじ込むにあたって、作業者は支持不安定な端子金具５を把持してその安定化を図ったり、端子金具５のかしめ部近傍のバッテリケーブル４の根元を把持して安定させたうえでボルトをねじ込む必要がある。それは電極ポスト３に対する端子金具５の仮決めが不安定であるがゆえに作業者の片手による支持を必要として両手を塞ぐことを意味し、作業能率をすこぶる低下させる一因となっている。
【００１４】
また一つは、図１２に示すように、接続作業に臨んで端子金具５を電極ポスト３に向かわせる組付方向が矢印Ａ方向だけに限定されることである。すなわち、端子金具５のタブ端子５ａにＬ字形鍵の手に回り止め５ｃ，５ｄを設けたがために、組付方向や作業者の手向きなどが一義的に決まってしまい、結果的に作業に不自由を感じて能率を落とすことにつながっている。
【００１５】
したがって、本発明の目的は、バッテリケーブルをバッテリ本体側電極ポストに接続する際の誤組付を未然防止するのに有効であることはもとより、接続作業の能率が高められるバッテリのケーブル端子接続構造を提供することにある。
【００１６】
【課題を解決するための手段】
上記目的を達成するために、本発明にかかる請求項１に記載のバッテリのケーブル端子接続構造は、バッテリ本体に正極および負極の両電極ポストがボルト形状に設けられ、電極ポストのそれぞれにバッテリケーブルを接続する場合に、電極ポストにバッテリケーブル端部のタブ端子に設けたポスト挿通孔を通して締結ナットで結合してなっているバッテリのケーブル端子接続構造であって，
前記バッテリ本体二個所にポスト設置凹部を設けてそこに前記正負両極の電極ポストが設置され、各ポスト設置凹部は少なくとも一面以上の垂直壁面を有し、この垂直壁面に垂直方向へ細長く各ポスト設置凹部における前記電極ポストの正負極性を区別するための凸条または凹溝を形成し、一方、その凸条または凹溝に係合する異数の凹部または凸部を前記タブ端子に設けられ，
前記タブ端子がプレス打ち抜き加工による金属成形品であって、端子板厚の打ち抜き始発角部がＲダレ部となり、打ち抜き終端角部が返りダレによる鋭利なエッジ部となっており、Ｒダレ部の方から向かわせてタブ端子を前記電極ポストに挿入するとともに、エッジ部を前記ポスト設置凹部の垂直壁面に咬み込み可能としたことを特徴とする。
【００１７】
以上の構成により、正負両極側のポスト設置凹部をバッテリ本体のこの場合辺部二個所にそれぞれ三面の垂直壁面で設けることにより、平面矩形状のタブ端子の前端と両側端の３つの端面がそうしたポスト設置凹部の三面垂直壁面に当接することになり、位置決めと回り止め効果が一層高められる。
また、請求項１にかかる本発明の記載のバッテリのケーブル端子接続構造において、タブ端子をプレス打ち抜き加工する場合、端子の板厚方向の２つの角部はＲダレ部と鋭利なエッジ部が生じる。これを有効活用するべく、エッジ部をポスト設置凹部側の垂直壁面に咬み込ませるようにして位置決めすると、締結ナットを締め込む前、タブ端子が仮位置決めされている段階で、そのタブ端子の浮き上がりがなくなって安定し、それだけナット締結作業がはかどる。
【００１８】
また、本発明にかかる請求項２に記載のバッテリのケーブル端子接続構造は、前記各ポスト設置凹部は二面方向が開放部となって他の二面が直交する垂直壁面となっており、この垂直壁面の一面と他面で面対称となる位置に垂直方向へ細長く各ポスト設置凹部における前記電極ポストの正負極性を区別するための異数の凸条または凹溝が形成され、一方、その凸条または凹溝に係合する異数の凹部または凸部を前記タブ端子の前端に設けたことを特徴とする。
【００１９】
以上の構成により、正負両極側で凸条または凹溝の数を違えて設け、それに対応してバッテリケーブル側のタブ端子に凹部または凸部を数を違えて設けたことで、バッテリケーブルを対応する電極ポストに取り違えることなく接続でき、誤組付を防止する。また、この場合、正負両極の電極ポストを設置する部分をバッテリ本体の角部二個所に設けたポスト設置凹部として、ここに二面の垂直壁面を設けて上記凸条または凹溝を設けたことで、タブ端子の前端と片側端がその二面の垂直壁面に当接する。それにより、タブ端子をこのポスト挿通孔を電極ポストに挿通させて仮位置決めし、電極ポストに締結ナットを締め込む作業時、タブ端子の共回りを防げ、作業者は片手作業で接続作業の能率アップできる。さらには、接続作業に臨んでタブ端子を対応する正負両極の電極ポストに向かわせる場合、ポスト設置凹部に対して直角な二方向のいずれの組付方向からでも向かわせることができるので、作業者の作業手向きの自由度が高まる。
【００２０】
また、本発明にかかる請求項３に記載のバッテリのケーブル端子接続構造は、前記各ポスト設置凹部は一面方向が開放部となって他の三面が互いに直交する垂直壁面となっており、この三面の垂直壁面の中央奥部一面に垂直方向へ細長く各ポスト設置凹部における前記電極ポストの正負極性を区別するための異数の凸条または凹溝が形成され、一方、その凸条または凹溝に係合する異数の凹部または凸部を前記タブ端子の前端に設けたことを特徴とする。
【００２１】
以上の構成により、正負両極側のポスト設置凹部をバッテリ本体のこの場合辺部二個所にそれぞれ三面の垂直壁面で設けることにより、平面矩形状のタブ端子の前端と両側端の３つの端面がそうしたポスト設置凹部の三面垂直壁面に当接することになり、位置決めと回り止め効果が一層高められる。
【００２２】
また、請求項４に記載のバッテリのケーブル端子接続構造は、前記タブ端子の前端と両側端のそれぞれに前記凹部または凸部が設けられていることを特徴とする。
【００２３】
この場合、タブ端子の前端だけでなく、両側端にも凹部または凸部を設けておけば、バッテリ本体側のポスト設置凹部で正負極性を区別する二面の垂直壁面に面対称に設けたいずれの凸条または凹溝にタブ端子側の凹部または凸部を係合させることができ、それだけ位置決めが安定し、タブ端子の回り止め効果が高められる。
【００２４】
また、請求項５に記載のバッテリのケーブル端子接続構造は、前記ポスト設置凹部の垂直壁面に設けた凸条または凹溝の数に対応して、前記タブ端子の凹部または凸部が１つまたはそれ以上偶数で設けられ、偶数の場合はポスト挿通孔の中心線に対して線対称位置となっていることを特徴とする。
【００２５】
この場合、本発明にかかる上記請求項１の構造において、タブ端子に設けられる凹部または凸部が偶数の複数の場合、それらをポスト挿通孔の中心線に対して線対称に振り分けておくことで、作業勝手でいう不向きの制約がなくなり、極端にはタブ端子を裏側にして電極ポストに挿通させることでも接続に差し支えない場合があり、接続作業の自由度が高められる。
【００２８】
また、請求項６に記載のバッテリのケーブル端子接続構造は、前記タブ端子に前端および両側端から凸部が突出して設けられる場合、その凸部を端子主面に対して適宜傾斜角度で屈曲させてなっていることを特徴とする。
【００２９】
この場合、上記請求項６のように、タブ端子がプレス打ち抜き加工される成形品であれば、タブ端子の前端や両側端に設けられるこの場合凸部に限るが、その凸部をタブ主面に対して適度に傾斜角度をもたせて屈曲成形することもでき、屈曲させた凸部がスプリング座金の作用する。すなわち、電極ポストに締結ナットでタブ端子を共締めする際の締め付け力増強や緩み止めに有効である。
【００３０】
【発明の実施の形態】
以下、本発明にかかるバッテリのケーブル端子接続構造の実施の形態について、図面を参照して詳細に説明する。
【００３１】
図１〜図３は、第１実施の形態によるケーブル端子接続構造を示している。図１に例示されたバッテリ１０において、このバッテリ本体１１の上面蓋部に正極（＋）用と負極（−）用の電力取出し端子であるこの場合ボルト形状に立ち上げた電極ポスト１３，１６がそれぞれ台座１４，１７を介して設けられている。
【００３２】
図２（ａ），（ｂ）の各平面図に示すように、台座１４，１７の上面の端には、正負両極の電極ポスト１３，１６を区別するための凸部１４ａ，１７ａが設置数を違えて設けられている。本例では、正極を区別するための凸部１４ａを２つ設け、負極を区別するための凸部１７ａを１つ設けている。
【００３３】
一方、かかる正負両極の電極ポスト１３，１６にそれぞれ対応するバッテリケーブル２０，３０が端部の端子金具２２，３２を介して接続される。バッテリケーブル２０，３０の端部は電線の絶縁体が皮剥されて導体２１，３１となっており、この導体２１，３１に端子金具２２，３２のかしめ部２３，３３が固着されている。また、端子金具２２，３２の先端部は平坦矩形状のタブ端子２４，３４として形成され、このタブ端子２４，３４の幅方向の中心位置にはポスト挿通孔２５，３５が貫通して設けられている。
【００３４】
図３（ａ），（ｂ）に示すように、かかる正極側バッテリケーブル２０のタブ端子２４では、その前端にポスト挿通孔２５の中心線から均等に振り分けられて左右対称位置に、つまり線対称位置に２つの切欠凹部２６が形成されている。２つの切欠凹部２６の間隔ピッチは、上記バッテリ本体１１側の台座１４上に設けた２つの凸部１４ａ間の間隔ピッチと同等に設定してある。凸部１４ａの幅寸法Ｗ１は切欠凹部２６の幅寸法Ｗ２と適度な嵌合関係に設定してある。すなわち、ポスト挿通孔２５とその中心線から線対称の２つの切欠凹部２６の並び間隔は、上記バッテリ本体１１側の台座１４上に設けた電極ポスト１３とその中心線から線対称の２つの凸部１４ａとを結ぶ直線上の並び間隔に一致させてある。
【００３５】
また他方の負極側バッテリケーブル３０のタブ端子３４においても、その前端にポスト挿通孔３５の中心線上に１つの切欠凹部３６が形成されている。すなわち、中心線上のポスト挿通孔３５と切欠凹部３６の並び間隔は、上記バッテリ本体１１側の台座１７上に設けた電極ポスト１６と１つの凸部１７とを結ぶ直線上の並び間隔と一致するよう設定してある。
【００３６】
以上の構成により、かかる第１実施の形態では次の要領で締結ナット１５，１８を用いてバッテリケーブル２０，３０がバッテリ１０に接続される。
【００３７】
まず、正極側のバッテリケーブル２０を正極用の電極ポスト１３に接続するには、端子金具２２のタブ端子２４をこの前端の２つの凹部２６が電極ポスト１３側の２つの凸部１４ａに整合する組付方向から臨ませる。
【００３８】
それに続いて、タブ端子２４のポスト挿通孔２５を電極ポスト１２に落とし込むようにして挿通させると、ほぼ同時にタブ端子２４側の２つの切欠凹部２６が電極ポスト１３側の２つの凸部１４ａに上端から係合する。これでタブ端子２４は電極ポスト１３に対して位置決めされて共回りしない状態になる。このタブ端子２４を位置決めした状態で締結ナット１５を電極ポスト１３にねじ込み、タブ端子２４を共締めして電極ポスト１３に結合することにより、正極側における電気的な接続が完了する。
【００３９】
一方、正極側の接続完了に続いて、負極側バッテリケーブル３０を負極用の電極ポスト１６に接続する。すなわち、端子金具３２のタブ端子３４をこの前端の１つの凹部３６が電極ポスト１６側の１つの凸部１７ａに整合する組付方向から臨ませる。
【００４０】
それに続いて、タブ端子３４のポスト挿通孔３５を電極ポスト１６に落とし込むようにして挿通させると、ほぼ同時にタブ端子３４側の切欠凹部３６が電極ポスト１６側の凸部１７ａに上端から係合する。これでタブ端子３４は電極ポスト１６に対して位置決めされて共回りしない状態になる。このタブ端子３４の位置決め状態で締結ナット１８を電極ポスト１６にねじ込み、タブ端子３４を共締めして電極ポスト１６に結合することにより、負極側における電気的な接続が完了する。
【００４１】
このような手順でもって、正負両極側の２本のバッテリケーブル２０，３０はバッテリ本体１１上の正負両極の電極ポスト１３，１６に誤組付なく適正に接続される。仮に、正負両極側の２本のバッテリケーブル２０，３０を取り違えて電極ポスト１３，１６に臨ませたとしても、各タブ端子２４，３４の凹部２６，３６の数が違うため、電極ポスト１３，１６側の凸部１４ａ，１７ａに合致しない。それにより、作業者はいち早く誤組付であることを認識する。
【００４２】
なお、電極ポスト１３，１６側の凸部１４ａ，１７ａとタブ端子２４，３４側の切欠凹部２６，３６の形状は図示のような平面方形に限らず、機能を全うする形状であれば、平面三角形状，平面台形状、そして平面半円形状なども可能である。
【００４３】
次に、図４および図５は、本発明にかかる第２実施の形態のケーブル端子接続構造を示している。
【００４４】
この場合、バッテリ本体４１の上面角部の二個所にポスト設置凹部４２，４５が設けられている。たとえば一方のポスト設置凹部４２には正極の電極ポスト４３が台座４３ａを介してボルト形状に垂直に立ち上げられ、他方のポスト設置凹部４５には負極の電極ポスト４６が台座４６ａを介してボルト形状に立ち上げられている。
【００４５】
正極側のポスト設置凹部４２においては、電極ポスト４３を二方向から囲むようにして直角に交差する垂直な二面の垂直壁面４２ａ，４２ｂが設けられ、それら二面の垂直壁面４２ａ，４２ｂには面対称となる位置にそれぞれ２本ずつ細長く垂直な凸条４４ａ，４４ｂが形成されている。
【００４６】
また、負極側のポスト設置凹部４５においても、電極ポスト４６を二方向から囲むようにして直角に交差する垂直な二面の垂直壁面４５ａ，４５ｂが設けられ、それら二面の垂直壁面４５ａ，４５ｂの面対称となる位置にそれぞれ１本ずつ細長く垂直な凸条４７ａ，４７ｂが形成されている。
【００４７】
本例においても、正負両極用の２本のバッテリケーブル２０，３０と、これら端部に設けた端子金具の各タブ端子２４，３４、そしてタブ端子２４，３４の前端に形成した異数の切欠凹部２６，３６の数や形状などは上記第１実施の形態で示されたものと同一であるので、重複説明を省略する。
【００４８】
すなわち、正極側のタブ端子２４における２つの切欠凹部２６の間隔ピッチは、上記ポスト設置凹部４２の二面の垂直壁面にそれぞれ２本ずつ形成した凸条４４ａまたは凸条４４ｂの間隔ピッチと同等である。そうした切欠凹部２６と凸条４４ａ，４４ｂとは凹凸による嵌合関係となっている。
【００４９】
ここで、図５は、正負両極側のタブ端子２４，３４に切欠凹部２６，３６を形成した部分の前端を拡大断面にして示す側面図である。端子金具２２，３２は、たとえば銅（Ｃｕ）など良電性金属を材料にして所要形状に金型成形でプレス打ち抜き加工される。
【００５０】
この図５中の矢印Ｐで示す方向へ端子金具２２，３２をプレス打ち抜き加工する場合、打ち抜き方向でいうタブ端子２４，３４の切込み始発側の角部は「切込みダレ」によって多少なりともミクロ的に丸く婉曲したＲダレ部２６ａ，３６ａとなり、切込み終端側の角部も「返りダレ」によって鋭利なエッジ部２６ｂ，３６ｂが形成される。
【００５１】
以上の構成により、かかる第２実施の形態にあっては、バッテリ本体４１側の正負極の両電極ポスト４３，４６に対応して２本のバッテリケーブル２０，３０が次の要領で接続される。
【００５２】
まず、正極側のバッテリケーブル２０を正極の電極ポスト４３に接続するに際して、端子金具２２のタブ端子２４をバッテリ本体４１側のポスト設置凹部４２に対して角度９０゜位相する二方向のいずれの組付方向からでも臨ませる。たとえば、図４に示す組付方向からタブ端子２４を臨ませる場合、このタブ端子２４の前端の２つの切欠凹部２６がポスト設置凹部４２の真向かいとなる垂直壁面４２ａにおける２本の凸条４４ａに対面する。
【００５３】
続いて、タブ端子２４のポスト挿通孔２５を電極ポスト４３に落とし込むようにして挿通させると、ほぼ同時にタブ端子２４側の２つの切欠凹部２６がポスト設置凹部４２側の２本の凸条４４ａに上端から係合し、その凸条４４ａにガイドされる形でタブ端子２４がポスト挿通孔２５を介して電極ポスト４３に完全に挿通する。
【００５４】
この状態で、タブ端子２４の前端における上端角の鋭利なエッジ部２６ｂは、ポスト設置凹部４２の垂直壁面４２ａに食い込むように作用する。そのため、電極ポスト４３にいったんタブ端子２４を落とし込んだ後は、タブ端子２４のこの場合上方への浮き上がりや抜脱防止に有効となる。
【００５５】
タブ端子２４の挿入後、電極ポスト４３の上端頭部がタブ端子２４のポスト挿通孔２５から覗いて上方へ突出する。それから、電極ポスト４３の上端頭部に締結ナット１５を螺合させて締め込み、端子金具２２を共締めして堅く締結する。
【００５６】
ここで重要な点は、締結ナット１５による締め込み中、タブ端子２４はその平坦矩形状の前端と片側端でもってポスト設置凹部４２側の二面の垂直壁面４２ａ，４２ｂに密接した当接状態で位置決めされることである。したがって、そうしたタブ端子２４を作業者は片手で支える必要はまったくなく、締結ナット１５の締め込み操作中はタブ端子２４が共回りしない。それにより、作業者によるナット締め込み作業が格段に能率アップする。タブ端子２４のポスト設置凹部４２における以上のような回り止め状態での位置決め効果は、先述の図１で示された第１実施の形態の場合よりもさらに一層高められる。
【００５７】
以上に対して、端子金具２２のタブ端子２４を凹部１１に対して先述の接続方向と９０゜だけ角度が位相する異方向の組付方向から臨ませる場合、タブ端子２４の前端の２つの切欠凹部２６が今度はポスト設置凹部４２における他の垂直壁面４２ｂにおける２本の凸条４４ｂに真向かいとなって臨む。以下、上記と同様な要領でもってバッテリケーブル２０を電極ポスト４３に接続することができる。
【００５８】
このように、二方向が開放されたポスト設置凹部４２内の電極ポスト４３に対して、バッテリケーブル２０を直角の二方向のいずれから臨ませても端子金具２２を電極ポスト４３に接続することができ、作業者の手向きにとらわれることなく規制感のない自由な接続作業が行え、作業能率が格段にアップする。
【００５９】
一方、負極側においても、上記正極側と同様な作用が得られる。すなわち、バッテリケーブル３０をポスト設置凹部４５における負極の電極ポスト４６に接続するにあたって、端子金具３２のタブ端子３４をそのポスト設置凹部４５に対して角度９０゜位相する二方向のいずれの組付方向からでも臨ませる。たとえば、図４に示す方向からタブ端子３４を臨ませる場合、このタブ端子３４の前端の１つの切欠凹部３６がポスト設置凹部４５における真向かいの垂直壁面４５ａに設けた１本の凸条４７ａに対面する。
【００６０】
それに続いて、タブ端子３４のポスト挿通孔３５を電極ポスト４６に落とし込むようにして挿通させると、ほぼ同時にタブ端子３４の切欠凹部２６が垂直壁面４５ａの凸条４７ａに上端から係合し、その凸条４７ａにガイドされる形でタブ端子３４がポスト挿通孔３５を介して電極ポスト４６に完全に挿通する。
【００６１】
電極ポスト４６の上端頭部はタブ端子３４のポスト挿通孔３５から覗いて上方に突出する。次いで、その電極ポスト１６の上端頭部に締結ナット１８を螺合させて締め込み、端子金具３２を共締めして堅く締結する。
【００６２】
それに対し、端子金具３２のタブ端子３４をポスト設置凹部４５に対して先述の接続方向と９０゜の角度だけ位相する異方向の組付方向から臨ませる場合、タブ端子３４の前端の切欠凹部３６が今度は真向かいの垂直壁面４５ｂにおける凸条４７ｂに臨む。以下、上記と同様な要領でもってバッテリケーブル３０を電極ポスト４６に接続することができる。
【００６３】
このように、正負極用の２本のバッテリケーブル２０，３０をそれぞれ対応する電極ポスト４３，４６に接続する際、タブ端子２４，３４をそれぞれの電極ポスト４３，４６に対して角度９０゜位相する方向の一方側または他方側のいずれからの方向から臨ませて接続作業を試みた場合でも可能である。
【００６４】
また、正負極対応のタブ端子２４，３４では切欠凹部２６，３６の設置数を違えて形成したことで、取り違えた場合はそれらタブ端子２４，３４自身がポスト設置凹部４２，４５における各凸条４４ａ，４４ｂまたは４７ａ，４７ｂに係合し得ない。したがって、取り違えた電極ポスト４３，４６に接続することもできない。それを作業者が認識して誤組付を未然に防止することができる。
【００６５】
また、仮に正負極側の各タブ端子２４，３４を裏返しにして対応する電極ポスト４３，４６に臨ませた場合でも、それらのポスト挿通孔２５，３５に対して切欠凹部２６，３６が対称勝手となるから、それら切欠凹部２６，３６を凸条４４ａ（または４４ｂ）や凸条４７ａ（４７ｂ）になんら問題なく係合させることができる。
【００６６】
ただし、好ましくは、タブ端子２４，３４を正規の表側姿勢で、つまり図４に示す正姿勢で接続するようにすれば、図５で示されたように、プレス成形によって生じたＲダレ部２６ａ（３６ａ）側から円滑に凸条４４ａ（または４４ｂ）や凸条４７ａ（４７ｂ）に係合させることができる。完全に係合後は、そのタブ端子２４，３４のエッジ部２６ｂ（３６ｂ）が垂直壁面４２ａ，４２ｂや４５ａ，４５ｂに、そして凸条４４ａ（または４４ｂ）や凸条４７ａ（または４７ｂ）に咬み込むように作用する。そのためタブ位置決め後の浮き上がり防止や抜脱防止に有効である。
【００６７】
したがって、タブ端子２４，３４を裏返し姿勢にして接続する場合は、上記抜脱防止という見地からいえば、図５に示すＲダレ部２６ａ（３６ａ）とエッジ部２６ｂ（３６ｂ）の上下が逆転するので効果が半減する。
【００６８】
なお、本実施の形態では、バッテリ本体４１側に設けた垂直壁面４２ａ，４２ｂ（または４５ａ，４５ｂ）の凸条４４ａ，４４ｂ，４７ａ，４７ｂを長溝形状の凹溝に代えて形成することもでき、その場合は対応するタブ端子２４，３４の前端に形成した切欠凹部２６，３６は凸部に代えて凹凸嵌合関係が逆転する凸部とすることも可能である。
【００６９】
次に、図６は、上記第２実施の形態の変形例ともいうべき本発明にかかる第３実施の形態のケーブル端子接続構造を示している。図４の第２実施の形態で示された各部材や各部と共通する部分には同一符号を付して説明を省く。
【００７０】
この場合、バッテリケーブル２０，３０側の各タブ端子２４，３４の形状が上記第２実施の形態と異なる点である。
【００７１】
すなわち、正極側のバッテリケーブル２０のタブ端子２４は、この前端および両端のそれぞれに角度９０゜の位相位置にポスト挿通孔２５の中心線から均等に振り分けられた線対称の位置に２つずつ切欠凹部２６，２７，２８が形成されている。
【００７２】
それに対して、負極側のバッテリケーブル３０のタブ端子３４もまた、この前端および両端のそれぞれに角度９０゜の位相位置にポスト挿通孔３５の中心線上で１つずつ切欠凹部２６，２７，２８が形成されている。
【００７３】
以上の構成により、この第３実施の形態ではバッテリ本体１０の正負極の両電極ポスト４３，４６に対応して２本のバッテリケーブル２０，３０が次の要領で接続される。
【００７４】
まず、正極側のバッテリケーブル２０をバッテリ本体４１側の正極の電極ポスト４３に接続するにあたって、端子金具２２のタブ端子２４をこの場合もポスト設置凹部４２に対して角度９０゜位相する二方向のいずれの組付方向からでも臨ませる。たとえば、図６に示す組付方向からタブ端子２４を臨ませる場合、このタブ端子２４の前端の２つの切欠凹部２６が真向かいの垂直壁面４２ａにおける２本の凸条４４ａに対面し、タブ片側の２つの切欠凹部２８が他の垂直壁面４２ｂにおける２本の凸条４４ｂに対面する。
【００７５】
続いて、タブ端子２４のポスト挿通孔２５を電極ポスト４３に落とし込むようにして挿通させると、ほぼ同時にタブ端子２４側の前端２つの切欠凹部２６と片側２つの切欠凹部２８が二面の垂直壁面における２本ずつの凸条４４ａ，４４ｂに上端から係合し、都合４つの凸条にガイドされる形でタブ端子２４がポスト挿通孔２５を介して電極ポスト４３に完全に挿通する。タブ端子２４の挿入後、電極ポスト１２の上端頭部がタブ端子２４のポスト挿通孔２５から覗いて上方へ突出する。それから、電極ポスト４３の上端頭部に締結ナット１５を螺合させて締め込み、端子金具２２を共締めして堅く締結する。
【００７６】
以上に対して、タブ端子２４をポスト設置凹部４２に対して先述の組付方向と９０゜だけ角度が位相する異方向から臨ませる場合、タブ端子２４の前端の２つの切欠凹部２６が今度は真向かいの垂直壁面４２ｂにおける２本の凸条４４ｂに臨む。これと同時に、タブ端子２４の片側の２つの切欠凹部２７が垂直壁面４２ａにおける２本の凸条４４ａに臨む。以下、上記と同様な要領でもってバッテリケーブル２０を電極ポスト４３に接続することができる。
【００７７】
次に、負極側においても、上記正極側と同様な作用が得られる。すなわち、バッテリケーブル３０を負極の電極ポスト４６に接続するにあたって、端子金具３２のタブ端子３４をポスト設置凹部４５に対して角度９０゜位相する二方向のいずれの組付方向からでも臨ませる。たとえば、図６に示す方向からタブ端子３４を臨ませる場合、このタブ端子３４の前端の１つの切欠凹部３６が真向かいの垂直壁面４５ａにおける１本の凸条４７ａに対面し、片側の１つの切欠凹部３７が垂直壁面４５ｂにおける凸条４７ｂに対面する。
【００７８】
それから、タブ端子３４のポスト挿通孔３５を電極ポスト４６に落とし込むようにして挿通させると、ほぼ同時にタブ端子３４側の切欠凹部３６，３７が凸条４７ａ，４７ｂに上端から係合し、それら２本の凸条４７ａ，４７ｂにガイドされる形でタブ端子３４がポスト挿通孔３５を介して電極ポスト４６に完全に挿通する。
【００７９】
電極ポスト４６の上端頭部はタブ端子３４のポスト挿通孔３５から覗いて上方に突出する。次いで、その電極ポスト４６の上端頭部に締結ナット１８を螺合させて締め込み、端子金具３２を共締めして堅く締結する。
【００８０】
それに対し、端子金具３２のタブ端子３４をポスト設置凹部４５に対して先述の接続方向と９０゜の角度だけ位相する異方向から臨ませる場合、タブ端子３４の前端の切欠凹部３６が今度は真向かいの垂直壁面４５ｂにおける凸条４７ｂに臨む。これと同時に、タブ端子３４の片側の切欠凹部３８が垂直壁面４５ａにおける凸条４７ａに臨む。以下、上記と同様な要領でもってバッテリケーブル３０を電極ポスト４６に接続することができる。
【００８１】
このように、二方向が開放された正負両極の電極ポスト４３，４６に対して、バッテリケーブル２０，３０を直角の二方向のいずれから臨ませても接続することができ、作業者の手向きにとらわれることなく規制感のない自由な接続作業が行え、作業能率が格段にアップする。
【００８２】
次に、図７は、本発明にかかる第４実施の形態のケーブル端子接続構造を示している。
【００８３】
この場合、上記各実施の形態で示された正極対応のタブ端子２４の前端に凸部２９を突出させて設け、負極対応のタブ端子３４の前端に凹部３９を設けて極性を区別している。したがって、正極側のポスト設置凹部４２においては、二面の垂直壁面４２ａ，４２ｂにそれぞれ上記タブ側正極対応の凸部２９が係合する凹溝４２ｃ，４２ｄが垂直に形成されている。また、負極側のポスト設置凹部４５においても、二面の垂直壁面４５ａ，４５ｂにそれぞれ上記タブ側負極対応の凹部３９が係合する凸条４５ｃ，４５ｅが垂直に形成されている。この負極側の二面の垂直壁面４５ａ，４５ｂにあっては、凸条４５ｃ，４５ｅを形成したがために、それら各凸条の両側はあたかも凹溝４５ｄ，４５ｆがごとくに形成されている。
【００８４】
以上の構成により、この第４実施の形態においても、上記図４の第２実施の形態、そして図６の第３実施の形態で示された構造の場合と同様な作用や効果が得られる。
【００８５】
次に、図８は、本発明にかかる第５実施の形態のケーブル端子接続構造を示している。
【００８６】
この場合、正極対応のタブ端子２４の前端をこの長さの半分ずつ凸部２９ａと凹部２９ｂによる鍵形に形成してこれをたとえば「正極側右勝手」とし、負極対応のタブ端子３４の前端を同じく長さの半分ずつ凹部３９ａと凸部３９ｂによる鍵形に形成してこれをたとえば「負極側左勝手」としている。そうした勝手違いで極性区別を行っている。それに対応して、正極側のポスト設置凹部４２における二面の垂直壁面４２ａ，４２ｂには、タブ端子２４側の凸部２９ａが係合する幅寸法を有した凹溝４２ｅ，４２ｆが形成されている。負極側のポスト設置凹部４５における二面の垂直壁面４５ａ，４５ｂには、タブ端子３４側の凸部３９ｂが係合する幅寸法を有した凹溝４５ｇ，４５ｈが形成されている。
【００８７】
図９は、上記図８の第５実施の形態の変形例ともいうべき第６実施の形態を示している。
【００８８】
この場合、正負両極対応のタブ端子２４，３４の形状は同一であり、正負両極側のポスト設置凹部４２，４５において、それらの二面の垂直壁面４２ａ，４２ｂと４５ａ，４５ｂのいずれにも凸条や凹溝を形成しておらず、床面にタブ突き当て突片６０，６１，６２，６３を設け、タブ端子２４，３４側の凹凸形状による前端の突き当てと位置決めに備えている。
【００８９】
また、本発明においては、上記各実施の形態で示されたタブ端子の形状に工夫を加えることにより、締結ナットによる締め付け力増強と緩み止めに有効とすることができる。
【００９０】
図１０（ａ），（ｂ）において、第６実施の形態として代表的に正極対応のバッテリケーブル２０側における端子金具２２で示すに、この場合タブ端子２４の前端に突出させて設けた凸部２９を、プレス打ち抜き加工時の同時成形でタブ主面に対して適度な角度でもって傾斜させて屈曲成形した構造である。
【００９１】
同図（ｂ）に示すように、ポスト設置凹部４２において、その電極ポスト４３にタブ端子２４をポスト挿通孔２５に通した後、締結ナット１５で共締めされる。その際、締結ナット１５による締め込みが進行するに伴い、タブ端子２４の凸部２９が押圧され、あたかもスプリング座金のごとくに作用する。そうした作用によって、締結ナット１５による締め込み力増強効果と緩み止め効果が得られるものである。
【００９２】
一方、上記第２，第３，第４，第５の各実施の形態においては、バッテリ本体４１の角部二個所に正負極側のポスト設置凹部４２，４５が設けられた。これに代えてバッテリ本体の辺部二個所にそうしたポスト設置凹部を設けた次の第７実施の形態も可能である。
【００９３】
この本発明にかかる第７実施の形態を図１１に示す。すなわち、バッテリ本体５１の辺部の二個所にポスト設置凹部５２，５５を設けている。
【００９４】
正極側のポスト設置凹部５２においては、三面が互いに直角に公差する垂直壁面５２ａ，５２ｂ，５２ｃを有し、一面は開放された空間を形成している。この空間部中央に正極の電極ポスト５３が立ち上げて設けられている。また、三面の垂直壁面のうち奥部一面５２ｃに細長い垂直な２本の凸条５４が電極ポスト５３の中心線に対して対称につまり線対称位置に形成されている。
【００９５】
また、負極側のポスト設置凹部５５においても、三面が互いに直角に公差する垂直壁面５５ａ，５５ｂ，５５ｃを有し、一面は開放された空間を形成している。この空間部中央に正極の電極ポスト５６が立ち上げて設けられている。また、三面の垂直壁面のうち奥部一面５５ｃに細長い垂直な１本の凸条５７が電極ポスト５６の中心線上に形成されている。
【００９６】
図示されてはいないが、本実施の形態における正負両極側の２本のバッテリケーブルは上記第２，第３実施の形態で示された構造と同一であり、上記ポスト設置凹部５２，５５に設けた正負両極の電極ポスト５３，５７に接続される。
【００９７】
以上からわかるように、ポスト設置凹部５２，５５は三面が垂直壁面に囲まれた空間であるから、バッテリケーブルのタブ端子の組付方向はポスト設置凹部５２，５５に対してこの開放一面側からだけとなる。この点が、バッテリ本体の角部二個所に設けた第２，第３実施の形態と異なっている。このように組付方向は一方向に限定されるが、この場合タブ端子の前端と両側端の３つの面がポスト設置凹部５２，５５における三面の垂直壁面に当接するので、位置決め姿勢が安定し、共回り防止に一層の効果がある。
【００９８】
【発明の効果】
以上説明したように、本願発明にかかるバッテリのケーブル端子接続構造は、正負両極側のポスト設置凹部をバッテリ本体のこの場合辺部二個所にそれぞれ三面の垂直壁面で設けることにより、平面矩形状のタブ端子の前端と両側端の３つの端面がそうしたポスト設置凹部の三面垂直壁面に当接することになり、位置決めと回り止め効果が一層高められる。
また、請求項１にかかる本発明の記載のバッテリのケーブル端子接続構造において、タブ端子をプレス打ち抜き加工する場合、端子の板厚方向の２つの角部はＲダレ部と鋭利なエッジ部が生じる。これを有効活用するべく、エッジ部をポスト設置凹部側の垂直壁面に咬み込ませるようにして位置決めすると、締結ナットを締め込む前、タブ端子が仮位置決めされている段階で、そのタブ端子の浮き上がりがなくなって安定し、それだけナット締結作業がはかどる。
【００９９】
また、本発明にかかる請求項２に記載のバッテリのケーブル端子接続構造は、正負両極側で凸条または凹溝の数を違えて設け、それに対応してバッテリケーブル側のタブ端子に凹部または凸部を数を違えて設けたことで、バッテリケーブルを対応する電極ポストに取り違えることなく接続でき、誤組付を防止する。また、この場合、正負両極の電極ポストを設置する部分をバッテリ本体の角部二個所に設けたポスト設置凹部として、ここに二面の垂直壁面を設けて上記凸条または凹溝を設けたことで、タブ端子の前端と片側端がその二面の垂直壁面に当接する。それにより、タブ端子をこのポスト挿通孔を電極ポストに挿通させて仮位置決めし、電極ポストに締結ナットを締め込む作業時、タブ端子の共回りを防げ、作業者は片手作業で接続作業の能率アップできる。さらには、接続作業に臨んでタブ端子を対応する正負両極の電極ポストに向かわせる場合、ポスト設置凹部に対して直角な二方向のいずれの組付方向からでも向かわせることができるので、作業者の作業手向きの自由度が高まる。
【０１００】
また、請求項３に記載のバッテリのケーブル端子接続構造は、上記請求項１または請求項２の各構造において、タブ端子に設けられる凹部または凸部が偶数の複数の場合、それらをポスト挿通孔の中心線に対して線対称に振り分けておくことで、作業勝手でいう不向きの制約がなくなり、極端にはタブ端子を裏側にして電極ポストに挿通させることでも接続に差し支えない場合があり、接続作業の自由度が高めることができる。
【０１０１】
また、本発明にかかる請求項４に記載のバッテリのケーブル端子接続構造は、タブ端子の前端だけでなく、両側端にも凹部または凸部を設けておけば、バッテリ本体側のポスト設置凹部で正負極性を区別する二面の垂直壁面に面対称に設けたいずれの凸条または凹溝にタブ端子側の凹部または凸部を係合させることができ、それだけ位置決めが安定し、タブ端子の回り止め効果が高められる。
【０１０２】
また、請求項５に記載のバッテリのケーブル端子接続構造は、上記請求項２または請求項４の各構造において、タブ端子に設けられる凹部または凸部が偶数の複数の場合、それらをポスト挿通孔の中心線に対して線対称に振り分けておくことで、作業勝手でいう不向きの制約がなくなり、極端にはタブ端子を裏側にして電極ポストに挿通させることでも接続に差し支えない場合があり、接続作業の自由度が高められる。
【０１０４】
また、請求項６に記載のバッテリのケーブル端子接続構造は、上記請求項６のように、タブ端子がプレス打ち抜き加工される成形品であれば、タブ端子の前端や両側端に設けられるこの場合凸部に限るが、その凸部をタブ主面に対して適度に傾斜角度をもたせて屈曲成形することもでき、屈曲させた凸部がスプリング座金の作用する。すなわち、電極ポストに締結ナットでタブ端子を共締めする際の締め付け力増強や緩み止めに有効である。
【図面の簡単な説明】
【図１】本発明にかかる第１実施の形態のケーブル端子接続構造を示す分解斜視図である。
【図２】同図（ａ），（ｂ）は、第１実施の形態において正負両極の電極ポストを区別用に設けられた凸部を示すいずれも平面図である。
【図３】同図（ａ），（ｂ）は、第１実施の形態において正負両極側のバッテリケーブル端部のタブ端子に設けた切欠凹部を示すいずれも平面図である。
【図４】本発明にかかる第２実施の形態のケーブル端子接続構造を示す分解斜視図である。
【図５】第２実施の形態のタブ端子にプレス打ち抜き加工で生じる端部のエッジを利用して電極ポスト側に咬み込ませる構図を一部拡大断面で示す側面図である。
【図６】本発明にかかる第３実施の形態のケーブル端子接続構造を示す分解斜視図である。
【図７】本発明にかかる第４実施の形態のケーブル端子接続構造を示す分解斜視図である。
【図８】本発明にかかる第５実施の形態のケーブル端子接続構造を示す分解斜視図である。
【図９】本発明にかかる第６実施の形態のケーブル端子接続構造を示す分解斜視図である。
【図１０】同図（ａ），（ｂ）は、本発明にかかる第７実施の形態としてタブ端子を示す斜視図と組立側面断面図である。
【図１１】本発明にかかる第８実施の形態のケーブル端子接続構造を示す斜視図である。
【図１２】従来例の端子接続構造を示す斜視図である。
【符号の説明】
１１，４１，５１    バッテリ本体
１３                正極の電極ポスト
１４ａ              正極側の凸部
１６                負極の電極ポスト
１７ａ              負極側の凸部
１５，１８          締結ナット
２０                正極側のバッテリケーブル
２２                端子金具
２４                タブ端子
２５                ポスト挿通孔
２６，２７，２８    切欠凹部
３０                負極側のバッテリケーブル
３２                端子金具
３４                タブ端子
３５                ポスト挿通孔
３６，３７，３８    切欠凹部
４２                正極側のポスト設置凹部
４２ａ，４２ｂ      垂直壁面
４４ａ，４４ｂ      凸条
４３                正極の電極ポスト
４５                負極側のポスト設置凹部
４５ａ，４５ｂ      垂直壁面
４７ａ，４７ｂ      凸条
４６                負極の電極ポスト
【図１】
0003701168.tif 000002
【図２】
0003701168.tif 000003
【図３】
0003701168.tif 000004
【図４】
0003701168.tif 000005
【図５】
0003701168.tif 000006
【図６】
0003701168.tif 000007
【図７】
0003701168.tif 000008
【図８】
0003701168.tif 000009
【図９】
0003701168.tif 000010
【図１０】
0003701168.tif 000011
【図１１】
0003701168.tif 000012
【図１２】
0003701168.tif 000013